(57)【要約】【課題】  ダムの点検に係るガイド機能を充実させること。【解決手段】  実施形態によれば、ダム管理システムは、データベースと、このデータベースにアクセス可能な点検ガイド装置を具備する。データベースは、ダムの運用に係る複数の点検項目と、複数の点検項目に対応付けられる点検結果とを記録する。点検ガイド装置は、判定手段と、報知手段とを具備する。判定手段は、点検結果に基づいて、点検項目ごとに点検時期の到来を判定する。報知手段は、点検時期の到来した点検項目をユーザに報知する報知手段とを具備する。【選択図】  図１
2020105813.tif 000002
【特許請求の範囲】
【請求項１】
ダムの運用に係る複数の点検項目と、前記複数の点検項目に対応付けられる点検結果とを記録するデータベースと、
前記データベースにアクセス可能な点検ガイド装置とを具備し、
前記点検ガイド装置は、
前記点検結果に基づいて、前記点検項目ごとに点検時期の到来を判定する判定手段と、
前記点検時期の到来した点検項目をユーザに報知する報知手段とを具備する、ダム管理システム。
【請求項２】
さらに、表示装置を具備し、
前記報知手段は、前記点検項目に係わる機器を、当該機器に対する警報発報回数に応じて前記表示装置に色分け表示する、請求項１に記載のダム管理システム。
【請求項３】
前記報知手段は、前記ユーザにより指定されたキーに基づいて前記点検項目を絞り込み、当該絞り込まれた点検項目を当該ユーザに報知する、請求項１に記載のダム管理システム。
【請求項４】
前記データベースは、前記点検項目ごとに、点検に係わるデータを点検期間ごとに関連付けて格納する、請求項１に記載のダム管理システム。
【請求項５】
さらに、可搬型端末と無線通信可能な通信手段を具備し、
前記報知手段は、前記点検時期の到来した点検項目に関する情報を前記可搬型端末に通知する、請求項１に記載のダム管理システム。
【請求項６】
ダムの運用に係る複数の点検項目と、前記複数の点検項目に対応付けられる点検結果とを記録するデータベースにアクセス可能な点検ガイド装置であって、
前記点検結果に基づいて、前記点検項目ごとに点検時期の到来を判定する判定手段と、
前記点検時期の到来した点検項目をユーザに報知する報知手段とを具備する、点検ガイド装置。
【請求項７】
コンピュータによりダムの運用を管理するダム管理方法であって、
前記コンピュータが、前記ダムの運用に係る複数の点検項目と、前記複数の点検項目に対応付けられる点検結果とをデータベースに記録する過程と、
前記コンピュータが、前記点検結果に基づいて、前記点検項目ごとに点検時期の到来を判定する過程と、
前記コンピュータが、前記点検時期の到来した点検項目をユーザに報知する過程とを具備する、ダム管理方法。
【発明の詳細な説明】
【技術分野】
【０００１】
本発明の実施形態は、ダム管理システム、点検ガイド装置、およびダム管理方法に関する。
【背景技術】
【０００２】
洪水調節、かんがい、水道、農業用水、あるいは観光放流などを目的として、多数のダムが建設されている。近年、竣工から時間の経過したダムが増えてきており、老朽化したダム管理用制御処理システム（ダムコンとも称される）の更新が継続して行われている。国土交通省発行の非特許文献１に、ダムコンの標準設計仕様書が詳しく記載されており、これからのダムコンはこの仕様書に沿って設計されることとなる。
【先行技術文献】
【特許文献】
【０００３】
【特許文献１】特開２０１４−１６７２２１号公報
【特許文献２】特開２０１３−２５４３６４号公報
【特許文献３】特開２０１２−１２９０７号公報
【非特許文献】
【０００４】
【非特許文献１】国土交通省「ダム管理用制御処理設備  標準設計仕様書・同解説（平成２８年８月）」
【発明の概要】
【発明が解決しようとする課題】
【０００５】
ダムコンのユーザは、標準仕様書の枠を超えて、多様なサービスを求めている。例えば、設備の点検時期を提示する機能や、遠隔からダムを監視／制御できる機能などのニーズがあり、メーカは、そのようなニーズに対応できることを求められる。
【０００６】
そこで、目的は、ダムの点検に係るガイド機能を充実させたダム管理システム、点検ガイド装置、およびダム管理方法を提供することにある。
【課題を解決するための手段】
【０００７】
実施形態によれば、ダム管理システムは、データベースと、このデータベースにアクセス可能な点検ガイド装置を具備する。データベースは、ダムの運用に係る複数の点検項目と、複数の点検項目に対応付けられる点検結果とを記録する。点検ガイド装置は、判定手段と、報知手段とを具備する。判定手段は、点検結果に基づいて、点検項目ごとに点検時期の到来を判定する。報知手段は、点検時期の到来した点検項目をユーザに報知する報知手段とを具備する。
【図面の簡単な説明】
【０００８】
【図１】実施形態に係わるダム管理システムの一例を示す機能ブロック図。
【図２】点検ガイドデータベース７０に記録される、点検項目テーブルの一例を示す図。
【図３】点検ガイドデータベース７０に記録される、点検結果テーブルの一例を示す図。
【図４】点検ガイド装置６０における表示装置の画面遷移の一例を示す図。
【図５】点検結果入力画面の一例を示す図。
【図６】点検表出力画面の一例を示す図。
【図７】点検履歴出力画面の一例を示す図。
【図８】点検ガイドデータベース７０に記録される、点検項目テーブルの一例を示す図。
【図９】点検ガイドデータベース７０に記録される、点検結果テーブルの一例を示す図。
【図１０】点検結果テーブルにおいて登録可能な日付の一例を示す図。
【図１１】或る日付における点検結果テーブルの一例を示す図。
【図１２】点検結果テーブルの他の例を示す図。
【図１３】点検結果テーブルの他の例を示す図。
【図１４】点検結果テーブルの他の例を示す図。
【図１５】点検ガイド装置６０の一例を示す機能ブロック図。
【発明を実施するための形態】
【０００９】
図１は、実施形態に係わるダム管理システムの一例を示す機能ブロック図である。このダム管理システムは、情報入力・提供装置１０、表示制御装置２０、および、無線ＬＡＮルータ３０を備え、これらは情報系ＬＡＮ（Local Area Network）に接続される。また、ダム管理システムは、放流操作装置５０、および点検ガイド装置６０を備え、これらは情報系ＬＡＮと、制御系ＬＡＮとに接続される。制御系ＬＡＮには、入出力装置８０、および、遠方手動操作装置９０が接続され、ダムの各種設備を遠隔から制御可能となっている。
【００１０】
情報入力・提供装置１０は、ダム管理システムに各種の情報を入力したり、各種の情報を提供するために用いられる。表示制御装置２０は、各種の情報を液晶パネルディスプレイ（表示装置）などに表示するための制御を行う。
【００１１】
通信手段としての無線ＬＡＮルータ３０は、可搬型端末としてのタブレットＰＣ４０に無線接続可能である。無線ＬＡＮルータ３０は、タブレットＰＣ４０とダム管理システムとの無線による相互通信を可能とする。これにより、タブレットＰＣ４０は、点検ガイドデータベース７０にアクセスしたり、点検ガイド装置６０から各種の情報を受信し、表示したりたりすることができる。  
放流操作装置５０は、ダムの放流ゲートを開閉するための制御を行う。
【００１２】
点検ガイド装置６０は、例えば工場用コンピュータ（Factory Automation PC：ＦＡ−ＰＣ）として実現され、点検ガイドデータベース７０に格納される各種の情報に基づいて、実施形態に係わる定期点検ガイド機能を実現する。
【００１３】
ダムの運用に係わる点検項目（区分、装置、点検内容、点検周期など）や、点検結果（点検日時、点検合否、備考など）は、点検ガイドデータベース７０に格納される。特に、点検ガイドデータベース７０は、点検項目ごとに、点検に係わるデータを点検期間ごとに関連付けて格納する。つまり、点検期間毎にデータを格納することで、該当周期での点検実施済／未実施を容易に判別し、点検結果データ、点検実績データの変更・削除などを容易に行うことが可能になる。
【００１４】
点検ガイドデータベース７０は、例えば関係データベース（リレーショナルデータベース）として実現され、その実態は、例えばＨＤＤ（ハードディスクドライブ）等の記録メディアにおける所定の記憶領域である。
【００１５】
入出力装置８０、および、遠方手動操作装置９０は、ダムの各種設備を遠隔から制御するための装置であり、例えばＰＬＣ（Programmable Logic Controller）として実現可能である。
【００１６】
ところで、点検ガイド装置６０は、プロセッサおよびメモリを備える、コンピュータである。この点検ガイド装置６０は、実施形態に係わる処理機能として、判定手段と、報知手段とを具備する。判定手段は、点検ガイドデータベース７０に記録される点検項目ごとに、既定の基準に基づいて点検時期の到来を判定する。基準としては、例えば前回の点検からの経過時間や、前回の点検の結果（点検結果）等が例として挙げられる。
【００１７】
報知手段は、判定手段により、点検時期の到来したことを判定された点検項目を、ユーザに報知する。例えば、点検時期の到達した点検項目について、表示制御装置２０上の警報表示により、ユーザに点検を促すことができる。
【００１８】
また、報知手段は、点検項目に係わる機器を、当該機器に対する警報発報回数に応じて表示装置に色分け表示する。これにより、機器の保守・交換時期を明示的に提案することができる。
【００１９】
また、報知手段は、システムのユーザにより指定されたキー（例えば、点検周期、点検時期、設備区分など）に基づいて点検項目を絞り込み、当該絞り込まれた点検項目をユーザに報知する。
【００２０】
さらに、報知手段は、点検時期の到来した点検項目に関する情報を、無線ＬＡＮルータ３０経由でタブレットＰＣ４０に通知する。これにより、ユーザは、点検現場、あるいは機器の前で点検項目などを確認しながら、オンラインで点検作業を行うことができ、予め必要な情報を紙に印刷して持参するといった手間を省くことができる。
【００２１】
図２は、点検ガイドデータベース７０に記録される、点検項目テーブルの一例を示す図である。点検項目ごとに、例えば、「登録内容」、「点検区分」、「設備区分」、「対象設備」、「確認事項」、「作業の実施範囲・具体的方法」、「点検目的」、「使用測定器」、「点検周期」、および、「点検業者」などが対応付けられる。
【００２２】
「登録内容」は、例えば点検の内容や、登録例である。「点検区分」は、例えば、「個別点検」または「総合点検」として管理される。「設備区分」は、例えば、ダム管理用制御処理設備として管理される。「対象設備」としては、例えば放流操作装置が挙げられる。
【００２３】
「確認事項」としては、例えばネットワークの点検がある。「作業の実施範囲・具体的方法」としては、例えば、「ＯＡ−ＬＡＮについて、システムに残っているログ情報の確認やＬＡＮアナライザでダムコン内ネットワークの負荷を測定し、ネットワークの異常の有無や負荷状況が適切かどうかを点検する。」といった内容が管理される。
【００２４】
「点検目的」としては、例えば、「システムに発生する可能性がある障害の未然防止のための点検」といった内容が管理される。「使用測定器」としては、例えば、ＬＡＮアナライザが登録される。「点検周期」としては、例えば１ヶ月、３ヶ月、６ヶ月、１２ヶ月などがあり、「点検業者」には、点検結果入力時のデフォルト表示用のため、所定の点検業者が予め登録される。
【００２５】
図３は、点検ガイドデータベース７０に記録される、点検結果テーブルの一例を示す図である。点検項目に対する点検結果として、例えば、「対象点検項目」、「点検日付」、「点検結果」、「対処内容」、「点検実施業者」、および、「点検時期」などが挙げられる。「対象点検項目」として、各点検項目へのＨＴＭＬ（HyperText Markup Language）ベースでのリンクが登録され、「点検日付」として、点検を行った日付が登録される。「点検結果」は、例えば「良」または「否」で示される。「対処内容」として、点検実施時の問題に対する処置内容、交換内容などを自由に記載できるようになっている。
【００２６】
図４は、点検ガイド装置６０における画面遷移の一例を示す図である。メインメニューから点検項目一覧を選択すると、「点検項目表画面」が表示され、点検項目詳細、詳細結果入力、業者登録、点検表出力等のアイテムを選択できるようになっている。また、メインメニューから点検履歴一覧を選択すると、「点検履歴表画面」が表示され、詳細、点検履歴出力等のアイテムを選択できるようになっている。
【００２７】
図５は、点検結果を入力するための点検結果入力画面の一例を示す図である。点検結果入力画面は、図４のメインメニューから点検項目一覧→詳細結果入力と辿ることで表示される。図５に示されるように、予めいくつかのアイテムに、デフォルト値が設定された状態で表示される。このようにしておくことで、多数の点検項目を入力しなければならない場合でも、入力挙動数を削減し、ユーザ（入力者）の負担を軽減することができる。
【００２８】
点検結果入力画面において、例えば、点検結果を入力する欄は「良」、日付を設定する欄は入力を行った日が予め設定される。点検結果は「良」「否」「□（空白）」を選択することができ、「良」または「否」を設定した点検項目は、該当期間を点検済みとして登録する。
【００２９】
一旦「否」となった点検項目について、何らかの処置の後に再点検を行い「良」となった場合は、同じ点検項目で点検結果「良」として上書き保存し、点検結果を変更することができる。
【００３０】
また、点検結果として「□（空白）」を入力した点検項目は、該当期間に該当項目の点検結果データがあった場合には点検結果テーブルからその点検結果データを削除する。このような操作により、誤入力などで点検済みとして登録してしまった点検項目を、該当期間は未点検の状態に戻すことができる。
【００３１】
図６は、点検表出力画面の一例を示す図である。点検ガイド装置６０の報知手段は、図６に示されるような帳票を表示装置に表示する。この帳票は、紙に印刷し点検結果を記入するために用いられ、点検実施用であることから、点検結果は未記入である。（。
【００３２】
図７は、点検履歴出力画面の一例を示す図である。点検ガイド装置６０の報知手段は、図７に示されるような帳票を表示装置に表示する。この帳票は、点検結果を紙出力し報告するために用いられ、点検結果報告用であることから、システム内の点検結果が記載済みである。
【００３３】
図６、図７に示されるいずれの帳票においても、区分、対象装置で絞り込みを実施し、必要な点検項目のみを印刷することができる。図７の点検結果報告用帳票では、リストから点検実施時期を選択することができる。点検実施時期のリストには、点検実施済みの期間だけが表示される。
【００３４】
図８は、点検ガイドデータベース７０に記録される、点検項目テーブルの一例を示す図である。例えば番号（１，２，…）で区別される点検対象装置ごとに、点検項目（Ａ，Ｂ，…）が対応付けられ、さらに区分（個別点検、総合点検）および点検周期（６か月，１年，…）が対応付けて記録される。
【００３５】
図９は、点検ガイドデータベース７０に記録される、点検結果テーブルの一例を示す図である。図８の点検項目テーブルで管理される点検項目ごとに、点検の日付、および点検の結果が対応付けて記録される。
【００３６】
図９のテーブルに示されるように、点検周期内における点検の実施／未実施を判定するため、点検結果レコードは指定の点検周期内で管理する。例えば、点検周期６ヶ月の点検項目は、６ヶ月内の有無で管理する。点検月（６ヶ月周期）と現在日付から点検時期を求め、点検実施日が点検時期の範囲内のデータのみ登録可能とする。また、同じ点検時期で、同じ点検項目の点検結果を複数保持することはできないようにする。２回目以降の点検結果の登録は、前回の点検結果を上書きして登録する。
【００３７】
図１０は、点検結果テーブルにおいて登録可能な日付の一例を示す図である。点検月を「４月」、「１０月」とした場合に、例えば２０１７／１０／０１を境界日として点検時期が２つの年度に割り振られる。２０１７年４月度において、２０１７／０６／２５に登録できる日付は、２０１７／０４／０１〜２０１７／０６／２５である。２０１７年１０月度において、２０１７／０３／３１に登録できる日付は、２０１７／１０／０１〜２０１８／０３／３１である。
【００３８】
図１１は、或る日付における点検結果テーブルの一例を示す図である。図１１は、現在の月が２０１８／８であり、点検対象装置１の６ヶ月点検の項目で、点検月４月／１０月の場合を示す。このうち点検日付２０１７／５、２０１７／８、２０１７／１１、２０１８／１の項目については期間外のため編集不可とする。点検項目Ａは点検済であり、点検項目Ｂは未点検である。
【００３９】
図１２は、点検結果入力画面で、点検項目Ｂを表示し、点検日付「２０１８／８」、点検結果「良」と入力したときの点検結果テーブルの一例を示す図である。図１１の状態から点検項目Ｂが追加されたことがわかる。
【００４０】
図１３は、点検結果入力画面で、点検項目Ｂを表示し、点検日付を任意、点検結果「  （空欄）」を入力したときの点検結果テーブルの一例を示す図である。図１２の状態から点検項目Ｂが削除されたことがわかる。
【００４１】
図１４は、点検結果入力画面で、点検項目Ａを表示し、点検日付「２０１８／８」、点検結果「良」と入力したときの点検結果テーブルの一例を示す図である。図１３の状態から点検項目Ａのデータが更新されたことがわかる。
【００４２】
実施形態では、予め設定した点検期間の最初の月の、設定した日付・時刻に到達したときに警報を発報し、ユーザに点検を促す。警報の信号自体は発生の直後に復帰するが、ダム管理システム上の確認ボタンを押下するまで警報一覧に表示する。この動作により点検時期到来の通知だけを行い、通知の確認後には警報一覧から削除されるため、不要となった点検時期到来通知を表示し続けないようにする。
【００４３】
また、タブレットＰＣ４０に、ダム管理システムの表示記録端末機能を実装し、点検ガイド機能を表示することで、点検対象機器の点検を行いながら並行して点検結果を入力することができる。このタブレットＰＣ４０では、点検ガイド機能の画面だけを表示し、不要な通信を行わないようにしてもよい。また、タブレットＰＣ４０と、点検ガイドデータベース７０との点検データ等の通信は、無線ＬＡＮ経由での例えばＳＱＬ通信により実現してもよい。
【００４４】
また、点検ガイド装置６０により、ダム管理システム上の点検対象装置の警報発生回数をカウントし、発生回数に応じて画面上に色付け表示を行うようにした。これにより、重点点検項目であることを明示したり、保守・交換時期が迫っていることをユーザに促すことができる。
【００４５】
図１５は、点検ガイド装置６０の一例を示す機能ブロック図である。点検ガイド装置６０は、メモリ６４およびプロセッサ６５を備えるコンピュータであり、メモリ６４に記憶されたプログラム６４ａに含まれる命令をプロセッサ６５が実行することで、実施形態に係わる判定手段、報知手段が実現される。判定手段は、プログラムの実行過程で生成されるプロセスとしての判定部６５ａである。報知手段も、プログラムの実行過程で生成されるプロセスとしての報知部６５ｂである。さらに、通信部６５ｃにより、タブレットＰＣ４０や他の装置との通信が制御される。
【００４６】
さらに点検ガイド装置６０は、表示装置６１と、ユーザインタフェースとしての入出力部６２と、情報系ＬＡＮ、制御系ＬＡＮに接続されるＬＡＮインタフェース（Ｉ／Ｆ）６３とを備える。また、点検ガイドデータベース７０には、点検項目テーブル７０ａ、および点検結果テーブル７０ｂが記録される。
【００４７】
以上説明したように、実施形態によれば、定期点検を行うべき装置や点検内容、点検手順などを、適切な時期（点検時期）にユーザに報知し、点検を促すことができる。ユーザは、点検時にタブレットＰＣ４０を持って点検現場の前で点検項目・点検手順を確認しながら、オンラインで点検結果を入力することができる。
【００４８】
タブレットＰＣ４０が不足する場合には、事前に必要な点検項目を紙で印刷し、点検結果を記入しておき、点検後にまとめて入力が行える。その際、迅速な入力をサポートし、入力に関わる操作数を少なく入力することができる。
【００４９】
点検ガイドデータベース７０にアクセスして、点検項目の事前印刷時、点検結果の印刷時などに、点検が必要な項目のみ絞り込んで印刷することで、データ検索時間の短縮、紙資源の節約をすることができる。さらに、点検対象機器に関連付けられた信号の警報回数の増加により、保守・交換時期が近づいていることをユーザに提案することができる。
【００５０】
既存の技術では、点検項目のそれぞれについて、ユーザが自分で実施時期を判断して点検を行わなければならない。また、実際の点検は、ダムコン本体から離れた場所にある点検装置の前に出向いて点検を行う必要があるため、ダムコン本体に表示された点検項目・点検手順を見ながら実施することができない。ダムコン本体から離れた場所でも効率よく点検を行うことができるようにする必要がある。さらに、ダムコン本体側で検出した装置異常の発生回数と、定期点検の点検項目とが連携していないため、ダムコンに実装された機能でありながらダムコン本体機能が持つ情報を活かすことが難しかった。
【００５１】
これに対し実施形態では、ユーザに点検時期を通知し、点検内容をデータベースに蓄え、保守／交換時期を通知し、点検結果データを編集する機能を、ダムの定期点検管理システムのコンピュータ（点検ガイド装置６０）に実装できるようにした。従って、これらのことから、ダムの点検に係るガイド機能を充実させたダム管理システム、点検ガイド装置、およびダム管理方法を提供することが可能となる。
【００５２】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５３】
１０…情報入力・提供装置、２０…表示制御装置、３０…無線ＬＡＮルータ、４０…タブレットＰＣ、５０…放流操作装置、６０…点検ガイド装置、６１…表示装置、６２…入出力部、６３…ＬＡＮインタフェース、６４…メモリ、６４ａ…プログラム、６５…プロセッサ、６５ａ…判定部、６５ｂ…報知部、６５ｃ…通信部、７０…点検ガイドデータベース、７０ａ…点検項目テーブル、７０ｂ…点検結果テーブル、８０…入出力装置、９０…遠方手動操作装置。
【図１】
2020105813.tif 000003
【図２】
2020105813.tif 000004
【図３】
2020105813.tif 000005
【図４】
2020105813.tif 000006
【図５】
2020105813.tif 000007
【図６】
2020105813.tif 000008
【図７】
2020105813.tif 000009
【図８】
2020105813.tif 000010
【図９】
2020105813.tif 000011
【図１０】
2020105813.tif 000012
【図１１】
2020105813.tif 000013
【図１２】
2020105813.tif 000014
【図１３】
2020105813.tif 000015
【図１４】
2020105813.tif 000016
【図１５】
2020105813.tif 000017